(57)【要約】      （修正有）【課題】ファイルの背表紙と裏表紙の間の折り目を確実に保持し、種々のファイルに着脱可能に適用できるファイルの変形を防止する固定具を提供する。【解決手段】ファイルの変形を防止する固定具１は、天面１０と、天面１０の第１面１１から延在し、その先端側から見たときに略Ｌ字状の外壁２０と、外壁２０の内側で並行して天面１０の第１面１１から外壁２０よりも長く延在し、その先端側から見たときに略Ｌ字状の内壁３０と、外壁２０と内壁３０の間にあって基端から先端に向かって拡開し、その先端側から見たときに略Ｌ字状の溝部４０と、を備えることを特徴とする。【選択図】図２
0003203379.tif 000002
【実用新案登録請求の範囲】
【請求項１】
ファイルの変形を防止する固定具であって、
天面と、
前記天面の第１面から延在し、その先端側から見たときに略Ｌ字状の外壁と、
前記外壁の内側で並行して前記天面の前記第１面から前記外壁よりも長く延在し、その先端側から見たときに略Ｌ字状の内壁と、
前記外壁と前記内壁の間にあって基端から先端に向かって拡開し、その先端側から見たときに略Ｌ字状の溝部と、を備えることを特徴とする固定具。
【請求項２】
前記内壁が、
その基端から前記外壁の先端に対応する中間位置に向かって延在方向に沿って細くなるように延在する本体部と、
前記中間位置からその先端に向かって延在方向に沿って一定の厚みとなるように延在する先端部と、を有することを特徴とする請求項１に記載の固定具。
【請求項３】
前記溝部が、その先端側から見たとき、前記ファイルの背表紙が嵌合される略Ｌ字の第１辺よりも前記ファイルの裏表紙が嵌合される略Ｌ字の第２辺において大きな幅を有することを特徴とする請求項１又は２に記載の固定具。
【請求項４】
前記外壁及び前記内壁が、前記溝部の基端の周辺において互いに対向する位置に、前記溝部の拡開を補完して前記溝部の基端の周辺が一定の厚みとなるように、前記溝部の拡開方向に幅広に延在するくさび状の一対の突出部を有することを特徴とする請求項１から３のいずれか１項に記載の固定具。
【請求項５】
前記天面が前記第１面とは反対の第２面に凹部を有することを特徴とする請求項１から４のいずれか１項に記載の固定具。
【考案の詳細な説明】
【技術分野】
【０００１】
本考案は、ファイルの背表紙の変形を防止する固定具に関する。
【背景技術】
【０００２】
従来、紙製のファイルとして、種々の態様のファイルが使用されている。これらのファイルは、その背表紙に例えば顧客の名称を記載又はそれを印刷したものが貼着されて、書棚やキャビネに保管されることとなる。しかし、ファイルの数が多くなり、隣接するファイル同士が押し合うようになると、ファイルの背表紙が正面を向くことができなくなって斜めになり、甚だしい場合には背表紙が見えなくなってしまい、利用者が所望のファイルを取り出すのに非常に手間取るという事態が生じる。この対策として、例えば特許文献１のような発明が提案されている。
【０００３】
特許文献１は、背表紙引起こし方式ファイルにおいて、ファイルを二つ折り状に折畳んだ未使用時に従来のもののようには嵩だかとはならず、また使用を開始するために表紙と裏表紙に対し背表紙をほぼ直角に引き起こしたとき、その引起こしで形成されたファイル姿勢を不可逆的に維持でき、多数が整列保管され互いが横圧力を受けるときなどでも、背表紙外側欄の文字、記号等が読み難くなるような斜めの姿勢を背表紙がとることのない背表紙引起こし方式ファイルとして、幅が背表紙の内面の幅とほぼ等しく、両側面が背表紙の内面に対しほぼ垂直で、また厚さが背表紙の厚さの数倍であり、さらに背表紙内面への固着手段を持った短冊状、チャンネル状、屋根形状等の整姿スペーサーを、表紙と裏表紙間の突張りとして働くように背表紙の内面に固着または形成したものを開示している。
【０００４】
しかしながら、特許文献１の発明では、整姿スペーサーを、表紙と裏表紙間の突張りとして働くように背表紙の内面の全面にわたって固着又は形成するものであるものの、整姿スペーサーが背表紙と表紙又は裏表紙との間の折り目を固定するものではないことから、一定以上の外力が加わると、折り目を維持することができず、整姿スペーサーが背表紙とともに表紙側又は裏表紙側に斜めになってしまうおそれがあるという問題があった。また、この整姿スペーサーは着脱可能ではないため、種々のファイルに適用することができないという問題があった。
【先行技術文献】
【特許文献】
【０００５】
【特許文献１】特開平１０−２７８４６９号公報
【考案の概要】
【考案が解決しようとする課題】
【０００６】
そこで、本考案は、以上のような事情に鑑みてなされたものであり、その目的は、ファイルの背表紙と裏表紙の間の折り目を確実に保持し、種々のファイルに着脱可能に適用できるファイルの変形を防止する固定具を提供することにある。
【課題を解決するための手段】
【０００７】
上記課題を解決するため、本考案の筐体は、以下のような解決手段を提供する。
【０００８】
（１）本考案に係る第１の観点は、ファイルの変形を防止する固定具であって、天面と、前記天面の第１面から延在し、その先端側から見たときに略Ｌ字状の外壁と、前記外壁の内側で並行して前記天面の前記第１面から前記外壁よりも長く延在し、その先端側から見たときに略Ｌ字状の内壁と、前記外壁と前記内壁の間にあって基端から先端に向かって拡開し、その先端側から見たときに略Ｌ字状の溝部と、を備えることを特徴とする。
【０００９】
（２）上記（１）の構成において、前記内壁は、その基端から前記外壁の先端に対応する中間位置に向かって延在方向に沿って細くなるように延在する本体部と、前記中間位置からその先端に向かって延在方向に沿って一定の厚みとなるように延在する先端部と、を有してもよい。
【００１０】
（３）上記（１）又は（２）の構成において、前記溝部は、その先端側から見たとき、前記ファイルの背表紙が嵌合される略Ｌ字の第１辺よりも前記ファイルの裏表紙が嵌合される略Ｌ字の第２辺において大きな幅を有してもよい。
【００１１】
（４）上記（１）から（３）のいずれか１つの構成において、前記外壁及び前記内壁は、前記溝部の基端の周辺において互いに対向する位置に、前記溝部の拡開を補完して前記溝部の基端の周辺が一定の厚みとなるように、前記溝部の拡開方向に幅広に延在するくさび状の一対の突出部を有してもよい。
【００１２】
（５）上記（１）から（４）のいずれか１つの構成において、前記天面は、前記第１面とは反対の第２面に凹部を有してもよい。
【考案の効果】
【００１３】
本考案によれば、ファイルの背表紙と裏表紙の間の折り目を確実に保持し、種々のファイルに着脱可能に適用できるファイルの変形を防止する固定具を提供することができる。
【図面の簡単な説明】
【００１４】
【図１】本考案の実施形態に係る固定具が嵌合されたファイルと嵌合されていないファイルの状態を示す図である。
【図２】固定具を示す斜視図である。
【図３】（ａ）は固定具を図２の方向Ｚｐからみた平面図、（ｂ）は固定具を図２の方向Ｙｌからみた左側面図、（ｃ）は固定具を図２の方向Ｘｒからみた背面図である。
【図４】固定具を図２の方向Ｘｆからみた正面について、図２のα―α線で切断して示す断面図である。
【図５】図４のマルＡで囲った部分の拡大図である。
【図６】固定具を図２の方向Ｚｂからみた底面図である。
【図７】図６のマルＢで囲った部分の拡大図である。
【図８】固定具を図２の方向Ｙｒからみた右側面図である。
【図９】図８のマルＣで囲った部分の拡大図である。
【図１０】固定具をファイルに嵌合する動作を説明する図である。
【図１１】固定具がファイルに嵌合された状態をファイルの内側からみた拡大図である。
【図１２】固定具が上端及び下端に嵌合されたファイルを見開いた状態で示す図である。
【考案を実施するための形態】
【００１５】
以下、添付図面を参照して、本考案を実施するための形態（以下、実施形態という）について詳細に説明する。なお、実施形態の説明の全体を通して同じ要素には同じ番号を付している。
【００１６】
（実施形態の構成）
本実施形態に係る固定具１は、図１に示すように、ファイルＦの背表紙Ｆ１と裏表紙Ｆ２の端部に嵌合される。ファイルＦの数が多くなって隣接するファイルＦ同士が押し合うようになると、固定具１が嵌合されていないファイルＦｃは、図示するように背表紙Ｆ１が斜めを向いてしまい識別ができないようになってしまうが、固定具１が嵌合されたファイルＦは、背表紙Ｆ１と裏表紙Ｆ２の折り目Ｆ３が維持されるため、背表紙Ｆ１が斜めになるようなことはない。なお、図１では、固定具１をファイルＦの上端に嵌合している場合を示しているが、併せてファイルＦの下端に嵌合してもよいことはもちろんである。以下、固定具１について、詳しく説明する。
【００１７】
まず、固定具１の全体構成を図２を参照して説明する。図２は、固定具１を図１のようにファイルＦの上端に嵌合した場合に下側となる方向Ｚｂからみた斜視図である。固定具１は、図２に示すように、天面１０と、外壁２０と、内壁３０と、外壁２０と内壁３０の間に形成される溝部４０とから構成されている。
【００１８】
天面１０は、略矩形状に形成されており、短辺として第１辺１０ａと第３辺１０ｃを、長辺として第２辺１０ｂと第４辺１０ｄを有している。ここでは、天面１０の外側に相当する第２面１２に凹部１３（天面１０の内側に相当する第１面１１の側に突出する）を設けた例を示しているが、凹部１３については後述する。天面１０は、固定具１をファイルＦに嵌合する際に指などで押え込む際の押え部の役割を果す。
【００１９】
外壁２０は、天面１０の内側に相当する第１面１１から方向Ｚｂに向かって延在しており、その先端側から見たとき（方向Ｚｂから見たとき）において略Ｌ字状となっている。すなわち、外壁２０は、天面１０の第１辺１０ａに対応する第１外壁２１と、第２辺１０ｂに対応する第２外壁２２とから構成される。第１外壁２１と第２外壁２２は、ファイルＦの背表紙Ｆ１と裏表紙Ｆ２の折り目Ｆ３を維持するよう実質的に直角に交差している。なお、以下では、外壁を包括的に説明する場合は外壁２０として、外壁を２つの部分に分割して説明する場合は第１外壁２１及び第２外壁２２として、説明する。
【００２０】
内壁３０は、外壁２０の内側で並行して、天面１０の第１面１１から方向Ｚｂに向かって外壁２０よりも長く延在しており、その先端側から見たとき（方向Ｚｂから見たとき）やはり略Ｌ字状となっている。すなわち、内壁３０は、天面１０の第１辺１０ａに対応する第１内壁３１と、第２辺１０ｂに対応する第２内壁３２とから構成される。ただし、外壁２０とは異なり、第１内壁３１と第２内壁３２は、Ｒ形状で接続されている。これは、固定具１をファイルＦに嵌合する際、背表紙Ｆ１と裏表紙Ｆ２をスムースに誘導できるようにするとともに、嵌合後にあっては、ファイルＦの裏表紙Ｆ２に厚みが生じたりする場合にこれを許容できるようにするものである。なお、以下では、内壁を包括的に説明する場合は内壁３０として、内壁を２つの部分に分割して説明する場合は第１内壁３１及び第２内壁３２として、説明する。
【００２１】
また、内壁３０は、延在方向（方向Ｚｐ−Ｚｂ）に沿って２つの部分に分かれている。すなわち、その基端から外壁２０の先端に対応する中間位置に向かって細くなるように延在する本体部３０ａと、中間位置からその先端に向かって延在方向に沿って一定の厚みとなるように延在する先端部３０ｂとから構成される。内壁３０は、先端部３０ｂに相当する分だけ外壁２０よりも長く延在している。なお、以下では、内壁の本体部／先端部を包括的に説明する場合は本体部３０ａ／先端部３０ｂとして、内壁の本体部／先端部を２つの部分に分割して説明する場合は第１本体部３１ａ／第１先端部３１ｂ及び第２本体部３２ａ／第２先端部３２ｂとして、説明する。
【００２２】
溝部４０は、外壁２０と内壁３０の間にあって基端から先端に向かって拡開しており、やはりその先端側から見たとき（方向Ｚｂから見たとき）略Ｌ字状となっている。すなわち、第１外壁２１と第１内壁３１の間に形成される第１溝部４１と、第２外壁２２と第２内壁３２の間に形成される第２溝部４２とから構成される。溝部４０はファイルＦの背表紙Ｆ１及び裏表紙Ｆ２が嵌合される空間であり、第１溝部４１にはファイルＦの背表紙Ｆ１が、第２溝部４２には裏表紙Ｆ２が嵌合される。
【００２３】
次に、図３から図９を用いて、固定具１の各部についてより詳しく説明する。
【００２４】
図３（ａ）は固定具１を図２の方向Ｚｐからみた平面図であり、天面１０の第２面１２を示している。天面１０は略矩形状をしており、短辺として第１辺１０ａと第３辺１０ｃを、長辺として第２辺１０ｂと第４辺１０ｄを有している。ファイルＦの背表紙Ｆ１と裏表紙Ｆ２の折り目Ｆ３に当たる第１辺１０ａと第２辺１０ｂの接点は、前述のとおり、実質的に直角に交差しているが、対角線上にあたる第３辺１０ｃと第４辺１０ｄの接点は、固定具１の着脱時に指がかかるため、Ｒ形状を介して交差している。天面１０の中央には前述のとおり凹部１３が設けられている。
【００２５】
図３（ｂ）は固定具１を図２の方向Ｙｌからみた左側面図であり、天面１０の第１辺１０ａから延在する第１外壁２１を示している。図３（ｃ）は固定具１を図２の方向Ｘｒからみた背面図であり、天面１０の第２辺１０ｂから延在する第２外壁２２を示している。図３（ｂ）及び図３（ｃ）において、第１外壁２１及び第２外壁２２の下方には、第１先端部３１ｂ及び第２先端部３２ｂがそれぞれ見えている。これは、前述のとおり、内壁３０は、先端部３０ｂに相当する分だけ外壁２０よりも長い延在長を有しているためである。
【００２６】
次に図４を用いて説明するが、図４では図示されている第１外壁２１と第１内壁３１について説明するものの、第２外壁２２及び第２内壁３２についても同様のことが妥当し、外壁２０と内壁３０の全体の説明となるので留意されたい。
【００２７】
図４は、固定具１を図２の方向Ｘｆからみた正面について、図２のα―α線で切断して示す断面図であり、図中上側には天面１０の断面が、図中左側には第１外壁２１と第１内壁３１の断面がそれぞれ示されている。第１外壁２１において、その外側の第１面２１１は天面１０に対して垂直に、内側の第２面２１２は天面１０側の基端から先端に向かって外側に向かって傾斜している。第１内壁３１は、その基端から外壁２０の先端に対応する中間位置までの第１本体部３１ａにおいては、その外側（第１外壁２１に対向する側）の第１面３１ａ１及び内側の第２面３１ａ２ともに、天面１０側の基端から先端に向かって細くなるように傾斜している。
【００２８】
第１先端部３１ｂについては、その第１面３１ｂ１及び第２面３１ｂ２は、ともに傾斜を有しておらず、その先端に向かって延在方向に沿って一定の厚みとなっている。なお、図４では、図中右端に第２外壁２２と第２内壁３２の端面の輪郭が示されているが、第２内壁３２の端面は、第２外壁２２の端面よりも内側に僅かに傾斜して形成されている。
【００２９】
第１内壁３１は、前述のとおり、第１先端部３１ｂに相当する分だけ第１外壁２１よりも全体として長い延在長を有している。本実施形態では、第１先端部３１ｂの延在長は、第１本体部３１ａの延在長（第１外壁２１の延在長と等しい）の概ね１０％〜１５％に設定されている。
【００３０】
第１内壁３１を第１外壁２１よりもその延在長を長くすることにより、第１先端部３１ｂをファイルＦの背表紙Ｆ１の裏面に当てて固定具１をファイルＦにスムースに嵌合することができ、第１外壁２１や第１内壁３１の先端が背表紙Ｆ１の端部に当たることによるファイル生地の損傷を抑えることが可能となる。また、第１先端部３１ｂの第１面３１ｂ１及び第２面３１ｂ２を垂直とすることにより、固定具１をファイルＦに嵌合したとき、第１先端部３１ｂが背表紙Ｆ１に沿うことによって嵌合をより適切に行うことが可能となる。
【００３１】
さらに、第１外壁２１及び第１内壁３１は、図４のマルＡで囲った範囲に示されているように、第１溝部４１の基端の周辺において互いに対向する位置に、第１溝部４１の拡開を補完して第１溝部４１の基端の周辺が一定の厚みとなるように、第１溝部４１の拡開方向に幅広に延在するくさび状の一対の突出部５０，５０を有する。一対の突出部５０，５０は、第１外壁２１の第２面２１２及び第１内壁３１の第１面３１１に互いに対向して設けられており、図５にマルＡの範囲を拡大して示すように、基端から先端に向かって拡開する第１溝部４１を補完して、ファイルＦの背表紙Ｆ１が第１溝部４１の中で動くことを規制する。
【００３２】
一対の突出部５０，５０の基端及び先端は、第１外壁２１の第２面２１２及び第１内壁３１の第１面３１１の基端よりも第１溝部４１側にわずかに出っ張っている。こうすることにより、固定具１をファイルＦに嵌合したとき、ファイルＦの背表紙Ｆ１の上端が一対の突出部５０，５０に当接又は沿うことによって嵌合をより適切に行うことが可能となる。一対の突出部５０，５０をその先端側から見たときの態様及び配置については、後述する。
【００３３】
天面１０の第２面１２には、前述のとおり、凹部１３が設けられており、凹部１３の反対側すなわち天面１０の第１面１１には凸部１４が形成されている。凹部１３を設けることにより、固定具１をファイルＦに嵌合するとき、指が誘導されて天面１０の押え込みが円滑に行われる。凸部１４は、ファイルＦに綴じられる書類に当接することもあることから、円弧状に形成されている。
【００３４】
図６は、固定具１を図２の方向Ｚｂからみた底面図である。既に説明したように、外壁２０及び内壁３０ともに、略Ｌ字状となっている。あらためて説明すると、外壁２０は、第１外壁２１と、第１外壁２１と実質的に直角に連続する第２外壁２２とから構成され、内壁３０は、第１内壁３１と、第１内壁３１とＲ形状を介して連続する第２内壁３２とから構成されている。したがって、溝部４０もやはり底面視において略Ｌ字状となっているが、第１溝部４１と第２溝部４２とは、外側輪郭においては実質的に直角に、内側輪郭においてはＲ形状を介して連続していることとなる。
【００３５】
ここで、溝部４０は、略Ｌ字の第１辺にあたる第１溝部４１の幅Ｗ１と、第２辺にあたる第２溝部４２の幅Ｗ２とについて、図６に示すように、後者は前者よりも大きな幅となるように形成されている。本実施形態では、幅Ｗ２は幅Ｗ１の概ね１４０％〜１６０％に設定されている。こうすることにより、幅Ｗ１の第１溝部４１にはファイルＦの背表紙Ｆ１が確実に嵌合される一方、幅Ｗ２の第２溝部４２にはファイルＦの裏表紙Ｆ２が厚みをもっている場合でも、前述したように第１溝部４１と第２溝部４２の間のＲ形状の内側輪郭と相まって、ファイルＦの開閉時に裏表紙Ｆ２を許容することができる。
【００３６】
図６では、前述した一対の突出部５０，５０について固定具１を方向Ｚｂから見たときの態様及び配置箇所を示している。ここでは、第１溝部４１に対応する位置として第１外壁２１の第２面２１２及び第１内壁３１の第１面３１１に２か所、第２溝部４２に対応する位置として第２外壁２２の第２面２２２及び第２内壁３２の第１面３２１に２か所、計４箇所に設けられた例を示している。図７は、マルＢで囲った第２溝部４２に対応する位置に設けられた２か所を拡大して示している。一対の突出部５０，５０は、図７に示すように、方向Ｚｂから見たとき、ファイルＦにスムースに当接するようにＲ形状の断面を有するように形成されている。なお、一対の突出部５０，５０の配置箇所や配置数はここに示したものに限られることはなく、ファイルＦの大きさなどに応じて適宜設定してよい。
【００３７】
図８は、固定具１を図２の方向Ｙｒからみた右側面図である。図８では、天面１０の第１面１１には凸部１４が、第２外壁２２及び第２内壁３２の間にはマルＣで囲った第２溝部４２に対応する位置に設けられている一対の突出部５０，５０が示されている。図９は、図８のマルＣで囲った範囲の拡大図である。第２外壁２２、第２内壁３２、第２溝部４２及び第２溝部４２に設けられた一対の突出部５０，５０の態様は、第１外壁２１、第１内壁３１、第１溝部４１及び第１溝部４１に設けられた一対の突出部５０，５０の態様とそれぞれ同様であるので、説明は割愛する。なお、図８では、図中左端に第１外壁２１と第１内壁３１の端面の輪郭が示されているが、第１内壁３１の端面は、第１外壁２１の端面よりも内側に傾斜して形成されている。
【００３８】
（実施形態の製造等）
本実施形態に係る固定具１は、種々の材料を用いて射出成形によって製造することができるが、その用途から、高耐衝撃性、帯電防止性、高光沢性を兼ね備えたポリプロピレンを好適に採用することができる。ファイルＦの識別を容易にするため、固定具１には種々の彩色を施してもよい。また、固定具１の外観を構成する各面、すなわち、天面１０の第２面１２、第１外壁２１の第１面２１１、第２外壁２２の第１面２２１には、ツヤ出し加工を施してもよい。
【００３９】
（実施形態の動作）
次に、図１０から図１２を用いて、固定具１をファイルＦに嵌合する手順について説明する。
【００４０】
図１０は、ファイルＦの背表紙Ｆ１と裏表紙Ｆ２の端部をファイルＦの外側からみた図である。まず、ファイルＦの背表紙Ｆ１と裏表紙Ｆ２を折り目Ｆ３に沿って曲げる。そして、固定具１を、第１外壁２１と第１内壁３１との間に形成された第１溝部４１が背表紙Ｆ１に対応するように、かつ、第２外壁２２と第２内壁３２との間に形成された第２溝部４２が裏表紙Ｆ２に対応するように、当てる。この際、内壁３０が外壁２０よりも長い延在長を有していることを利用して、の外側の第１面３０１をファイルＦの内側に当接するようにすれば、視認しながら位置決めをすることができる。そして、固定具１をファイルＦに対して矢印βの方向に押し込む。
【００４１】
そうすると、ファイルＦを開いて内側からみた図１１に示すように、押し込まれた固定具１は、背表紙Ｆ１が裏表紙Ｆ２に対して略Ｌ字状に折り曲げられた状態を維持する。これにより、背表紙Ｆ１と裏表紙Ｆ２の端部を固定具１によって固定でき、背表紙Ｆ１と裏表紙Ｆ２の折り目Ｆ３が維持されるため、図１に示したファイルＦｃのように背表紙Ｆ１が斜めになるようなことはない。もちろん、図１２に示すように、固定具１をファイルＦの上端及び下端の双方に嵌合してもよい。
【００４２】
（実施形態の効果）
以上説明した本実施形態によれば、固定具１は、種々のファイルＦに着脱可能であって、ファイルＦの背表紙Ｆ１と裏表紙Ｆ２の間の折り目Ｆ３を確実に保持して背表紙Ｆ１の変形を防止することができる。
【００４３】
以上、実施形態について説明したが、本考案は、具体的な実施形態に限定されるものではなく、種々の変更を行ったものも含まれるものであり、そのことは、当業者にとって実用新案登録請求の範囲の記載から明らかである。例えば、上記実施形態では、天面１０として略矩形のものを示しているが、天面１０はこの形状に限定される必要はなく、ファイルＦに固定具１を嵌合する際の便宜を損なわない限り、造形的な変形を行ってもよい。また、上記実施形態では方向Ｚｂからみたとき、第２外壁２２及び第２内壁３２が第１外壁２１及び第１内壁３１よりも長い略Ｌ字状としているが、ファイルＦの種類によっては、第１外壁２１及び第１内壁３１が第２外壁２２及び第２内壁３２よりも長い略Ｌ字状としてもよい。
【符号の説明】
【００４４】
１…固定具
１０…天面
１０ａ，１０ｂ，１０ｃ，１０ｄ…第１辺、第２辺、第３辺、第４辺
１１…第１面（天面１０の）
１２…第２面（天面１０の）
１３…凹部
１４…凸部
２０…外壁
２１…第１外壁
２１１…第１面（第１外壁２１の）
２１２…第２面（第１外壁２１の）
２２…第２外壁
３０…内壁
３０ａ…本体部
３０ｂ…先端部
３１…第１内壁
３１ａ…第１本体部
３１ｂ…第１先端部
３１１…第１面（第１内壁３１の）
３１２…第２面（第１内壁３１の）
３２…第２内壁
４０…溝部
４１…第１溝部
４２…第２溝部
５０，５０…一対の突出部
Ｆ…ファイル
Ｆ１…背表紙
Ｆ２…裏表紙
Ｆ３…折り目
【図１】
0003203379.tif 000003
【図２】
0003203379.tif 000004
【図３】
0003203379.tif 000005
【図４】
0003203379.tif 000006
【図５】
0003203379.tif 000007
【図６】
0003203379.tif 000008
【図７】
0003203379.tif 000009
【図８】
0003203379.tif 000010
【図９】
0003203379.tif 000011
【図１０】
0003203379.tif 000012
【図１１】
0003203379.tif 000013
【図１２】
0003203379.tif 000014